(57)【要約】      （修正有）【課題】患者が楽な姿勢で上肢の温浴療法を行える上肢温浴療法用装置を提供する。【解決手段】本体部２の上部に浴槽３が設けられた上肢温浴療法用装置２１であって、浴槽の上部に二つの凹部４を対向するように設け、二つの凹部上に載せ板５を架け渡すようにして着脱自在に載置する。本体部正面側の左右方向中央部に上体用谷部６を設け、浴槽正面側の内壁部左右に二つの上肢用谷部７を設けてもよい。浴槽正面側の上部に、内側から外側に向かって下るように傾斜する斜面部８を設けてもよい。載せ板には、下方に凹んだ挿入用凹部や、上下方向に貫通する貫通孔２２を設けてもよい。また載せ板上に、うつ伏せ用枕２３を着脱自在に固定してもよい。【選択図】図４
0003198462.tif 000002
【実用新案登録請求の範囲】
【請求項１】
本体部の上部に浴槽が設けられた上肢温浴療法用装置であって、
前記浴槽の上部に二つの凹部を対向するように設け、
前記二つの凹部上に載せ板を架け渡すようにして着脱自在に載置したことを特徴とする上肢温浴療法用装置。
【請求項２】
前記凹部が、前記浴槽の上部の内側に設けられた切欠部である請求項１に記載の上肢温浴療法用装置。
【請求項３】
前記本体部の正面側における左右方向の中央部に上体用谷部を設け、
前記浴槽の正面側における内壁部の左右に二つの上肢用谷部を設けた請求項１又は２に記載の上肢温浴療法用装置。
【請求項４】
前記浴槽の正面側の上部に、内側から外側に向かって下るように傾斜する斜面部を設けた請求項１から３のいずれかに記載の上肢温浴療法用装置。
【請求項５】
前記載せ板に、下方に凹んだ挿入用凹部を設けた請求項１から４のいずれかに記載の上肢温浴療法用装置。
【請求項６】
前記載せ板に、下方に凹んだ空間用凹部を設けた請求項１から５のいずれかに記載の上肢温浴療法用装置。
【請求項７】
前記載せ板に、上下方向に貫通する貫通孔を設けた請求項１から６のいずれかに記載の上肢温浴療法用装置。
【請求項８】
前記載せ板上にうつ伏せ用枕を着脱自在に固定した請求項１から７のいずれかに記載の上肢温浴療法用装置。
【考案の詳細な説明】
【技術分野】
【０００１】
本考案は、上肢の温浴療法に使用される上肢温浴療法用装置に関するものである。
【背景技術】
【０００２】
従来のこの種の技術としては、本体部の上部に設けられた浴槽内の温水に患者が上肢を浸漬することにより、上肢の温浴療法が可能な上肢温浴療法用装置（例えば、特許文献１参照。）等が知られている。
【先行技術文献】
【特許文献】
【０００３】
【特許文献１】特開２０１４−０７３２８２号公報（図１、図２、等）
【考案の開示】
【考案が解決しようとする課題】
【０００４】
しかし、上記のような従来の上肢温浴療法用装置においては、温浴療法を受ける患者が、椅子に座った状態で上肢を浴槽内の温水に浸漬し、楽ではない前傾姿勢を長時間に渡ってとる必要があるので、患者が楽な姿勢で上肢の温浴療法を行えないという問題点がある。
【０００５】
本考案は、以上のような事情や問題点に鑑みてなされたものであり、患者が楽な姿勢で上肢の温浴療法を行える上肢温浴療法用装置を提供することを目的とする。
【課題を解決するための手段】
【０００６】
上記目的を達成するための第１の考案は、
本体部の上部に浴槽が設けられた上肢温浴療法用装置であって、
前記浴槽の上部に二つの凹部を対向するように設け、
前記二つの凹部上に載せ板を架け渡すようにして着脱自在に載置したものである。
【０００７】
第２の考案においては、前記凹部が、前記浴槽の上部の内側に設けられた切欠部である。
【０００８】
第３の考案は、
前記本体部の正面側における左右方向の中央部に上体用谷部を設け、
前記浴槽の正面側における内壁部の左右に二つの上肢用谷部を設けたものである。
【０００９】
第４の考案は、前記浴槽の正面側の上部に、内側から外側に向かって下るように傾斜する斜面部を設けたものである。
【００１０】
第５の考案は、前記載せ板に、下方に凹んだ挿入用凹部を設けたものである。
【００１１】
第６の考案は、前記載せ板に、下方に凹んだ空間用凹部を設けたものである。
【００１２】
第７の考案は、前記載せ板に、上下方向に貫通する貫通孔を設けたものである。
【００１３】
第８の考案は、前記載せ板上にうつ伏せ用枕を着脱自在に固定したものである。
【考案の効果】
【００１４】
第１の考案によれば、患者の頭部を載せ板上に載せることができるので、患者が楽な姿勢で上肢の温浴療法を行うことができる。
【００１５】
第２の考案によれば、二つの切欠部内に載せ板を架け渡すようにして着脱自在にはめ込むことができるので、載せ板がずれるのを確実に防止することができる。
【００１６】
第３の考案によれば、患者の上体を上体用谷部に挿入できると共に、上肢を上肢用谷部に挿入できるので、患者がより楽な姿勢で上肢の温浴療法を行うことができる。
【００１７】
第４の考案によれば、患者の胸部が圧迫されるのを防止することができる。
【００１８】
第５の考案によれば、患者の頭部をより低い位置に載せることができるので、患者がより楽な姿勢で上肢の温浴療法を行うことができる。
【００１９】
第６の考案によれば、患者の顔を下方に向けた状態で頭部を載せ板上に載せることができると共に、載せ板の強度低下を防止することができる。
【００２０】
第７の考案によれば、患者の顔を下方に向けた状態で頭部を載せ板上に載せることができると共に、浴槽内の温水の上方に位置する貫通孔を透して顔の保湿を図ることもできる。
【００２１】
第８の考案によれば、患者の顔を下方に向けた状態で頭部を載せ板上に載せる際に、顔が圧迫されるのを防止できると共に、必要に応じてうつ伏せ用枕を外しておくこともできる。
【図面の簡単な説明】
【００２２】
【図１】第１実施形態における上肢温浴療法用装置の概略平面図である。
【図２】図１の左方向から見た上肢温浴療法用装置の概略左側面図である。
【図３】図１の下方向から見た上肢温浴療法用装置の概略正面図である。
【図４】第２実施形態における上肢温浴療法用装置の概略平面図である。
【図５】図４の左方向から見た上肢温浴療法用装置の概略左側面図である。
【図６】第３実施形態における上肢温浴療法用装置の概略平面図である。
【図７】図６の載せ板部分のみを示す概略正面図である。
【図８】第４実施形態における上肢温浴療法用装置の概略平面図である。
【図９】図８の載せ板部分のみを示す概略正面図である。
【図１０】第５実施形態における上肢温浴療法用装置の概略平面図である。
【図１１】図１０の左方向から見た上肢温浴療法用装置の概略左側面図である。
【考案を実施するための形態】
【００２３】
以下、本考案の実施形態について、図面に基づいて説明する。
第１実施形態における上肢温浴療法用装置１は、図１〜図３に示すように、本体部２の上部に浴槽３が設けられていると共に、浴槽３の上部の左右に二つの凹部４を対向するように設け、二つの凹部４上に載せ板５を架け渡すようにして着脱自在に載置したものである。
【００２４】
載せ板５の材質は特に限定されるものではなく、木材、プラスチック、繊維強化プラスチック（ＦＲＰ）、金属その他の材質を採用することができる。載せ板５の長さ、幅、厚さ、形状、構造も特に限定されるものではなく、必要に応じて適宜変更可能である。二つの凹部４の位置も特に限定されるものではなく、浴槽３の上部の左右の他、浴槽３の上部の前後に対向するように設けたり、あるいは、浴槽３の上部の斜め方向に対向するように設けたりしてもよい。
【００２５】
本体部２の正面側における左右方向の中央部には、上体用谷部６が設けられている。浴槽３の正面側における内壁部の左右には、二つの上肢用谷部７が設けられている。浴槽３の正面側の上部には、内側から外側に向かって下るように傾斜する斜面部８が設けられている。
【００２６】
本体部２の下部には、二つの脚部９が設けられている。また、図示しないが、浴槽３の内壁部には、浴槽３内に注入された水を加熱するためのヒーターや、複数の噴流ノズルが設けられている。浴槽３の底部には、吸水口が設けられている。本体部２の上部には、浴槽３内の温水の温度設定、治療時間設定、噴流パターン設定、治療開始その他の操作をするための操作パネルが設けられている。各噴流ノズルは、それぞれ噴流発生器を介してポンプに接続されている。吸水口は、ポンプに接続されていると共に、開閉可能な排水ホースに接続されている。なお、上肢の温浴療法を行うための装置構成は、上記の内容に限定されるものではなく、従来公知の各種の技術を採用することができる。
【００２７】
上記のように構成された上肢温浴療法用装置１の使用に際しては、患者が椅子に座った状態で、頭部を載せ板５上に載せると共に、上肢を浴槽３内の温水に浸漬すればよい。このように、上肢温浴療法用装置１によれば、患者の頭部を載せ板５上に載せることができるので、患者が楽な姿勢で上肢の温浴療法を行えるという利点がある。
【００２８】
なお、載せ板５上には、タオル等を載せておいてもよい。また、載せ板５は、必要に応じ、浴槽３から外しておくこともできる。ここで、患者が座る椅子として、キャスター付きの椅子を使用すれば、患者が必要に応じて姿勢を変えやすいという利点がある。
【００２９】
また、本実施形態のように、本体部２の正面側における左右方向の中央部に上体用谷部６を設け、浴槽３の正面側における内壁部の左右に二つの上肢用谷部７を設けておけば、患者の上体を上体用谷部６に挿入できると共に、上肢を上肢用谷部７に挿入できるので、患者がより楽な姿勢で上肢の温浴療法を行えるという利点がある。更に、浴槽３の正面側の上部に斜面部８を設けておけば、患者の胸部が圧迫されるのを防止できるという利点がある。
【００３０】
第２実施形態における上肢温浴療法用装置２１は、図４及び図５に示すように、第１実施形態において、載せ板５に、上下方向に貫通する貫通孔２２を設け、載せ板５上にうつ伏せ用枕２３を着脱自在に固定したものである。
【００３１】
うつ伏せ用枕２３は、図示しないが、面ファスナー、磁石、又はマグネットシート等を介して載せ板５上に着脱自在に固定されている。なお、うつ伏せ用枕２３とは、中央部に適宜の形状の空間部２４を有する枕をいう。
【００３２】
このように、載せ板５に貫通孔２２を設けておけば、患者の顔を下方に向けた状態で頭部を載せ板５上に載せることができると共に、浴槽３内の温水の上方に位置する貫通孔２２を透して顔の保湿を図ることもできるという利点がある。また、載せ板５上にうつ伏せ用枕２３を着脱自在に固定しておけば、患者の顔を下方に向けた状態で頭部を載せ板５上に載せる際に、顔が圧迫されるのを防止できると共に、必要に応じてうつ伏せ用枕２３を外しておくこともできるという利点がある。更に、載せ板５上にうつ伏せ用枕２３を着脱自在に固定し、かつ、載せ板５に貫通孔２２を設けておけば、上記の利点に加え、患者の顔が載せ板５に接触するのを確実に防止できるという利点がある。
【００３３】
第３実施形態における上肢温浴療法用装置３１は、図６及び図７に示すように、第２実施形態において、貫通孔２２の代わりに、載せ板５に、下方に凹んだ空間用凹部３２を設けたものである。
【００３４】
このように、載せ板５に空間用凹部３２を設けておけば、患者の顔を下方に向けた状態で頭部を載せ板５上に載せることができると共に、載せ板５の強度低下を防止できるという利点がある。また、載せ板５上にうつ伏せ用枕２３を着脱自在に固定し、かつ、載せ板５に空間用凹部３２を設けておけば、患者の顔が載せ板５に接触するのを確実に防止できるという利点がある。
【００３５】
なお、空間用凹部３２には、第２実施形態と同様の貫通孔を設けることもできる。
【００３６】
第４実施形態における上肢温浴療法用装置４１は、図８及び図９に示すように、第２実施形態において、載せ板５に、下方に凹んだ挿入用凹部４２を設け、第２実施形態と同様の貫通孔２２を挿入用凹部４２に設け、うつ伏せ用枕２３を挿入用凹部４２上に着脱自在に固定したものである。
【００３７】
このように、載せ板５に挿入用凹部４２を設けておけば、第２実施形態の利点に加え、患者の頭部をより低い位置に載せることができるので、患者がより楽な姿勢で上肢の温浴療法を行えるという利点がある。
【００３８】
なお、貫通孔２２の代わりに、第３実施形態と同様の空間用凹部を挿入用凹部４２に設けることもできる。また、その空間用凹部には、第２実施形態と同様の貫通孔を設けることもできる。
【００３９】
第５実施形態における上肢温浴療法用装置５１は、図１０及び図１１に示すように、第１実施形態において、凹部４を、浴槽３の上部の内側に設けられた切欠部５４とし、載せ板５の長さを短くしたものである。
【００４０】
このように、凹部４を切欠部５４としておけば、二つの切欠部５４内に載せ板５を架け渡すようにして着脱自在にはめ込むことができるので、載せ板５がずれるのを確実に防止できるという利点がある。
【００４１】
なお、第５実施形態の技術は、必要に応じ、第２実施形態、第３実施形態、又は第４実施形態の技術と組み合わせることもできる。
【産業上の利用可能性】
【００４２】
以上のように、本考案の上肢温浴療法用装置は、患者が楽な姿勢で上肢の温浴療法を行うための手段として有用である。
【符号の説明】
【００４３】
１、２１、３１、４１、５１  上肢温浴療法用装置
２  本体部
３  浴槽
４  凹部
５  載せ板
６  上体用谷部
７  上肢用谷部
８  斜面部
２２  貫通孔
２３  うつ伏せ用枕
３２  空間用凹部
４２  挿入用凹部
５４  切欠部
【図１】
0003198462.tif 000003
【図２】
0003198462.tif 000004
【図３】
0003198462.tif 000005
【図４】
0003198462.tif 000006
【図５】
0003198462.tif 000007
【図６】
0003198462.tif 000008
【図７】
0003198462.tif 000009
【図８】
0003198462.tif 000010
【図９】
0003198462.tif 000011
【図１０】
0003198462.tif 000012
【図１１】
0003198462.tif 000013